(57)【要約】【課題】安価で簡単に、泡無しの飲料を抽出できるとともに、泡量の調節ができる飲料注出装置を提供すること。【解決手段】飲料容器２００に取着される取着部１０と、取着部１０に付設され内部に飲料吐出路３４が形成されたノズル３０と、飲料吐出路３４に連通され飲料吐出路３４と共に飲料注出路を形成し前記飲料容器内の飲料を飲料吐出路３４に導く飲料導入路と、飲料注出路に進入する第１位置と、飲料注出路から退出する第２位置との間で移動可能に設けられ、飲料注出路を流れる飲料との接触によって飲料を泡化する泡形成部材５０と、第１位置と第２位置との間で泡形成部材を移動させる操作子５３と、を備えたことを特徴とする。【選択図】図１
2020050361.tif 000002
【特許請求の範囲】
【請求項１】
飲料容器に取着される取着部と、取着部に付設され内部に飲料吐出路が形成されたノズルと、
前記飲料吐出路に連通され前記飲料吐出路と共に飲料注出路を形成し前記飲料容器内の飲料を前記飲料吐出路に導く飲料導入路と、
前記飲料注出路に進入する第１位置と、前記飲料注出路から退出する第２位置との間で移動可能に設けられ、前記飲料注出路を流れる飲料との接触によって飲料を泡化する泡形成部材と、
前記第１位置と前記第２位置との間で前記泡形成部材を移動させる操作子と、
を備えたことを特徴とする飲料注出装置。
【請求項２】
前記泡形成部材は前記ノズルに設けられ、前記ノズルは前後方向に延び、前記ノズルには、吐出側を前方とした場合、前記飲料導入路と前記飲料吐出路との連通部よりも後方に前記泡形成部材を退避させるための空間が形成され、
前記泡形成部材は、前記操作子の操作によって、前記飲料導入路と前記飲料吐出路との連通部よりも前方の第１位置と、前記飲料導入路と前記飲料吐出路との連結部よりも後方の第２位置とを取り得るように構成されていることを特徴とする請求項１に記載の飲料注出装置。
【請求項３】
前記泡形成部材は多孔質となっていることを特徴とする請求項１又は請求項２に記載の飲料注出装置。
【請求項４】
前記泡形成部材は装置本体に対して着脱可能に構成されていることを特徴とする請求項１から請求項３のいずれか一項に記載の飲料注出装置。
【発明の詳細な説明】
【技術分野】
【０００１】
本発明は飲料注出装置に関するものである。
【背景技術】
【０００２】
近年、家庭でも使用可能なビールサーバーが知られている。このビールサーバーでは、泡なしのビール飲料は勿論のこと、ビール飲料を撹拌羽根や超音波で泡化し、飲料泡をも注出できる（例えば、特許文献１）。
【０００３】
しかしながら、超音波発生装置を使用するため、構造が複雑となり、自ずと高価なものとなってしまう。
【０００４】
そこで、最近では、簡易な飲料注出装置として、ビール缶の飲み口側端部に冠着される取着部と、取着部に対して立設された円筒状の注ぎ口とを備えたものが出現している（非特許文献１）。この飲料注出装置では、注ぎ口は信楽焼から構成され、ビールを注ぎ口と接触させることによって、ビールを泡化している。
【先行技術文献】
【特許文献】
【０００５】
【特許文献１】特開２００１−７２０７５号公報
【非特許文献】
【０００６】
【非特許文献１】ＵＲＬ：https://ymall.jp/store/okaimonodanet/beersmoother/
【発明の概要】
【発明が解決しようとする課題】
【０００７】
しかしながら、この飲料注出装置によれば、ビールを注出する際に、ビールが必ず信楽焼きから構成される注ぎ口と接触することになり、ビールの一部が必ず泡化されることから、飲料注出装置をビール缶に取着した状態のままでは、泡無しのビールだけを注出することは難しい。また、この飲料注出装置によれば、泡入りの飲料において、泡を好みの量だけ注出することは難しい。
【０００８】
本発明は、安価で簡単に、泡無しの飲料を抽出できるとともに、泡量の調節ができる飲料注出装置を提供することを目的としている。
【課題を解決するための手段】
【０００９】
第１の手段は、
飲料容器に取着される取着部と、取着部に付設され内部に飲料吐出路が形成されたノズルと、
前記飲料吐出路に連通され前記飲料吐出路と共に飲料注出路を形成し前記飲料容器内の飲料を前記飲料吐出路に導く飲料導入路と、
前記飲料注出路に進入する第１位置と、前記飲料注出路から退出する第２位置との間で移動可能に設けられ、前記飲料注出路を流れる飲料との接触によって飲料を泡化する泡形成部材と、
前記第１位置と前記第２位置との間で前記泡形成部材を移動させる操作子と、
を備えたことを特徴とする。
【００１０】
第２の手段は、第１の手段において、前記泡形成部材は前記ノズルに設けられ、前記ノズルは前後方向に延び、前記ノズルには、吐出側を前方とした場合、前記飲料導入路と前記飲料吐出路との連通部よりも後方に前記泡形成部材を退避させるための空間が形成され、
前記泡形成部材は、前記操作子の操作によって、前記飲料導入路と前記飲料吐出路との連通部よりも前方の第１位置と、前記飲料導入路と前記飲料吐出路との連結部よりも後方の第２位置とを取り得るように構成されていることを特徴とする。
【００１１】
第３の手段は、第１の手段又は第２の手段において、前記泡形成部材は多孔質となっていることを特徴とする。
【００１２】
第４の手段は、第１の手段又は第３の手段のいずれか一の手段において、前記泡形成部材は装置本体に対して着脱可能に構成されていることを特徴とする。
【発明の効果】
【００１３】
第１の手段によれば、操作子で泡形成部材を第１位置に移動させれば泡を注出でき、また、操作子で泡形成部材を第２位置に移動させれば泡無しの飲料を注出できるので、自分好みの量の泡が入った飲料を簡単に作ることができる。
【００１４】
第２の手段によれば、泡形成部材を飲料注出流路を後方に延出した部分に退出させるようにしているので、デザインも形よく収まることになる。
【００１５】
第３の手段によれば、泡形成部材が多孔質となっているため、細かいクリーミーな泡を形成することができる。
【００１６】
第４の手段によれば、泡形成部材が装置本体に対して着脱可能となっているので、簡単に取り外せ洗浄等することができる。
【図面の簡単な説明】
【００１７】
【図１】飲料容器に取着した状態の飲料注出装置を示した斜視図である。
【図２】飲料注出装置の分解斜視図である。
【図３】飲料注出装置の模式的断面図である。
【図４】泡形成部材が第１位置にあるときの注出の様子を示した模式的な図である。
【図５】泡形成部材が第２位置にあるときの注出の様子を示した模式的な図である。
【図６】泡形成部材の他例を示した斜視図である。
【図７】泡形成部材のさらに他例を示した斜視図である。
【発明を実施するための形態】
【００１８】
以下、本発明の実施形態を図面に基づいて説明する。
【００１９】
（全体構成）
図１は飲料容器に取着した状態の本実施形態の飲料注出装置を示した斜視図である。
本実施形態の飲料注出装置１００は、飲料容器２００の飲み口側の端部に取着される取着部１０と、取着部１０の上に前後に延在するように付設されたノズル３０とを備えている。この飲料注出装置１００においては、取着部１０が飲料容器２００の飲み口側の端部に取着された際、飲料容器２００の内部とノズル３０の内部とが連通される。ノズル３０の内部には泡形成部材５０が設けられている。また、ノズル３０には摘み５３が設けられており、摘み５３をノズル３０の長手方向に沿って前後に操作することによって、泡形成部材５０を前後に移動させることができる。
本実施形態においては、飲料容器２００には例えばビールが収容されている。そして、摘み５３の操作により泡形成部材５０を後方に移動させた状態で、飲料注出装置１００を飲料容器２００と共に傾けると、泡無しのビールが注出される。また、摘み５３の操作により泡形成部材５０を前方に移動させた状態で、飲料注出装置１００を飲料容器２００と共に傾けると、ビール泡が注出される。
このように、本実施形態の飲料注出装置１００によれば、摘み５３を前後に操作するだけで、泡無しのビールと、ビール泡とを選択的に注出可能となる。
【００２０】
（飲料及び飲料容器２００）
飲料容器２００としては、実施形態では、円柱状の飲料缶が用いられている。飲料缶は、２ピース缶、３ピース缶又はリシール缶いずれであってもよい。また、飲料容器２００は飲料瓶であってもよい。また、飲料容器２００に収容される飲料は、ビール以外のビール系飲料であってもよいし、ノンアルコールビールであってもよい。要は泡形成部材５０との接触によって泡を生じることである。
【００２１】
（飲料注出装置１００）
図２は飲料注出装置の分解斜視図、図３は飲料注出装置の模式的な断面図である。
本実施形態の飲料注出装置１００は取着部１０及びノズル３０を備えている。
【００２２】
１．取着部１０
取着部１０は、実施形態で用いられている飲料容器２００に合わせて円盤状に形成されている。つまり、取着部１０は、天井板となる円板１１と、円板１１の縁から垂れ下がる円環状で段部が形成された嵌合部１２とを備えている。嵌合部１２は、飲料注出装置１００が飲料容器２００に装着される際、飲料容器２００の飲み口側の端部の外側に嵌合する。嵌合部１２の外側には舌片状の摘み１３が付設されている。この摘み１３を指で摘んで飲料注出装置１００を飲料容器２００に対して着脱することで、飲料注出装置１０に対する着脱を容易に行うことができる。
また、円板１１には、外部空気を飲料容器２００内に取り込んだり飲料容器２００内の空気を抜いたりするための空気孔１４と、飲料注出装置１００を飲料容器２００に装着した状態で飲料注出装置１００を飲料容器２００と共に傾けたときに飲料容器２００内の飲料を飲料注出装置１００内に導入するための飲料導入口１５とが形成されている。
さらに、円板１１の上面には、ちょうど飲料導入口１５に対応する位置に取着部側連結部１７ａが形成されている。
【００２３】
２．ノズル３０
ノズル３０の本体は円筒状に形成され、先端部（前端部）には先細り状の飲料吐出口３１が設けられている。一方、ノズル３０の後端側は開放されている。ノズル３０の後半部の上面には、ノズル３０の長手方向に沿って延び且つ後端に達するスリット３２が形成されている。
また、ノズル３０の長手方向の中間部下には上記取着部側連結部１７ａに外嵌されるノズル側連結部１７ｂが付設されている。このノズル側連結部１７ｂと取着部側連結部１７ａとは連結解除可能に構成されている。これにより、取着部１０からノズル３０を取り外すことができ、取着部１０とは独立に洗浄等することができる。なお、ノズル側連結部１７ｂと取着部側連結部１７ａとは一体化されていてもよい。
ノズル側連結部１７ｂと取着部側連結部１７ａとから構成される連結部１７には、下端が上記飲料導入口１５に連通し、上端がノズル３０内の飲料吐出路３４に連通する飲料導入路２０が形成されている。
そして、飲料導入路２０と飲料吐出路３４とによって飲料注出路が構成されている。
【００２４】
３．泡形成部材５０
泡形成部材５０は、本実施形態においては、円柱状に成型された珪藻土によって形成されている。この場合の珪藻土は単に固められたものであってもよいし、焼成されたものであってもよい。要は、泡形成部材５０は多孔質を維持し、容易に崩れない程度のものであればよい。
この泡形成部材５０は操作部材５１によって保持されている。すなわち、本実施形態の操作部材５１は泡形成部材５０を挟持片５２、５２によって前後方向から挟み込んで保持している。操作部材５１の後端部には、垂直に起立する支持片５４が設けられ、支持片５４の上端には摘み５３が付設されている。
このように構成された泡形成部材５０はノズル３０に着脱可能に構成されている。すなわち、泡形成部材５０はノズル３０の後端側の開口から着脱されるようになっている。そして、泡形成部材５０をノズル３０に装着した際には、泡形成部材５０と操作部材５１とがノズル３０内に設置される。また、泡形成部材５０及び操作部材５１をノズル３０に装着した際には、支持片５４がノズル３０のスリット３２に挿入され、摘み５３がノズル３０の外側に設置される。これにより、摘み５３を前後に操作したときに、操作部材５１を介して泡形成部材５０が前後に移動する。
ここで、泡形成部材５０の移動範囲について説明すれば、摘み５３を前端まで操作したときには泡形成部材５０が飲料吐出路３４に進入し、摘み５３を後端まで操作したときには泡形成部材５０が飲料吐出路３４から退出する範囲で泡形成部材５０が移動する。このような構造となるように、ノズル３０の長さ、飲料吐出路３４と飲料導入路２０との連通位置、スリット３２の長さ及び泡形成部材５０の大きさが設定されている。
なお、本実施形態では、ノズル３０の外側にストッパ３５が設けられ、摘み５３が前方に動作したときにこのストッパ３５に当接することで位置決めされる。
【００２５】
（飲料注出装置１００の使用方法）
次に、本実施形態の飲料注出装置１００の使用方法について説明する。
ビール入りの飲料容器２００を用意し、飲料容器２００の飲み口を開ける。次に、飲料容器２００の飲み口側の端部に飲料注出装置１００の取着部１０を取着する。
そして、泡無しのビールを注出したい場合には、図４に示すように、摘み５３をノズル３０の後方に動作させて泡形成部材５０が飲料吐出路３４から退出する第２位置まで移動させる。この状態で、飲料容器２００と共に飲料注出装置１００を傾けると、泡無しのビールがノズル３０から注出される。
一方、ビール泡を注出したい場合には、図５に示すように、摘み５３をノズル３０の前方に動作させて泡形成部材５０を飲料吐出路３４に進入する第１位置まで移動させる。この状態で、飲料容器２００と共に飲料注出装置１００を傾ける。すると、ビールが泡形成部材５０の表面又は内部に存する凹凸と接触することによって、ビール内の炭酸ガスに刺激が加えられビールが泡化され、ビール泡がノズル３０から注出される。
【００２６】
（実施形態の効果）
本実施形態の飲料注出装置１００によれば次のような効果が得られる。
すなわち、本実施形態の飲料注出装置１００によれば、ノズル３０が１つで泡形成部材５０を動かすだけの構成となっているため、泡無しのビールとビール泡とを選択して注出できる簡易な飲料注出装置１００が実現できる。
また、泡形成部材５０とビールとを接触させるだけで泡を形成するため、この点でも簡易な飲料注出装置１００が実現できる。
【００２７】
（変形例）
以上、本発明の実施形態について説明したが、本発明は、かかる実施形態に限定されるものではなく、その要旨を逸脱しない範囲で種々の変形が可能である。
例えば、上記実施形態では、飲料容器と一体的に傾けて注出する構造の飲料注出装置を説明したが、ポンプ（手動であるか電動であるかを問わない。）を備え、ポンプにより飲料容器２００内の圧力を高めて飲料を注出するか、或いはポンプにより飲料容器２００内の飲料を汲み上げて注出する飲料注出装置にも適用可能である。
【００２８】
また、上記実施形態では、泡形成部材５０として円柱状の珪藻土を使用したが、円柱状の珪藻土に限定されない。飲料との接触によって泡を形成させるものであればよい。例えば、泡形成部材が多孔質のものであることが好ましい。この例が図６及び図７に示されている。
図６に示す泡形成部材６１はサンゴの小片から構成されている。また、操作部材６２は、サンゴの小片を入れる筒状のケース６３と、ケース６３の前後に取り付けられるキャップ６４、６４とから構成されており、キャップ６４、６４にはビールを流通させるための孔６５が形成されている。そして、操作部材６２には支持片６５を介して摘み６６が設けられている。
【００２９】
また、図７に示す泡形成部材７１は信楽焼等の円筒状の陶器となっている。また、操作部材７２は上記実施形態の操作部材５１と同様の構造となっている。この泡形成部材７２では、内周で飲料に接する。
【符号の説明】
【００３０】
１０   取着部
１７   連結部
２０   飲料導入路
３０   ノズル
３１   飲料吐出口
３２   スリット
３４   飲料吐出路
５０   泡形成部材
５１   操作部材
５３    摘み（操作子）
５４   支持片
６１   泡形成部材
６２   操作部材
６３   ケース
６４   キャップ
７１   泡形成部材
７２   操作部材
１００ 飲料注出装置
２００ 飲料容器
【図１】
2020050361.tif 000003
【図２】
2020050361.tif 000004
【図３】
2020050361.tif 000005
【図４】
2020050361.tif 000006
【図５】
2020050361.tif 000007
【図６】
2020050361.tif 000008
【図７】
2020050361.tif 000009